(57)【特許請求の範囲】
【請求項１】
多数の異なる機能ユニットと、少なくとも１つの統一的に形成された、静的に支持力のある構造要素とを有するモジュール形式の室内設備システムであって、
少なくとも１つの構造要素が、自立した、垂直の、閉成された、フレーム平面を画成する矩形のフレーム（１）であり、
前記フレームが大体において２つの垂直の縦支柱（２．１、２．２）と、これらの支柱の端部に結合される２つの水平なステイ（３．１、３．２）からなり、
前記フレームは下端においてフレーム平面に対して垂直に延びるシャーシ（８）に取付けることが可能であり、また、角部結合部材の取付けによって隣接するフレームと結合することが可能であって、フレームを垂直位置に安定させるために、シャーシへの取付け、および、または、角部結合部材の取付けによる隣接するフレームとの結合が選択的に採用され、
すべての前記機能ユニットが、前記フレーム平面を貫通して組み込むことができ、その際に、前記機能ユニットの前記フレーム平面の一方の側への突出量が前記フレーム平面の他方の側への突出量よりも大きくなるように、オフセットして組み込むことができる、ものであって、
前記縦支柱は、断面において互いに直交する２対の辺を有する４つの外壁を有し、２対の内の一方の対を成す辺は隅から隅まで延伸するが、他方の対を成す辺は、隅から隅への途中まで延伸してから、前記一方の対を成す辺に、前記一方の対を成す辺と前記他方の対を成す辺との間に開放した通路が形成されるように接続されており、
前記縦支柱には前記機能ユニットを前記フレームに取付けるための少なくとも１つの締め付け部材が取り付けられ、該締め付け部材は互いにネジで結合可能な２つの部品から成り、該２つの部品の一方が部分的に前記通路内に嵌入され、他方は隣接する２つの辺の外面に添接される、
ことを特徴とするモジュール形式の室内設備システム。
【請求項２】
前記フレームを前記シャーシの上に取り付けることが可能で、その際に、シャーシの中心からオフセットした位置に取付けられる、ことを特徴とする請求項１に記載の室内設備システム。
【請求項３】
前記シャーシが２つの側支持体（２１）を備えて成り、前記フレーム（１）の下面が側支持体（２１）の中心からオフセットした位置に取付けられる、ことを特徴とする請求項２に記載の室内設備システム。
【請求項４】
前記角部結合装置を挿入可能な凹部が、前記シャーシと水平なステイの接触面の、一方、または、両方に、形成されている、ことを特徴とする請求項１に記載の室内設備システム。
【請求項５】
コンテナユニットが、シャーシに取付けられるようにされている、ことを特徴とする請求項１に記載の室内設備システム。
【請求項６】
コンテナユニットが、順次積み重ねできるように形成されている、ことを特徴とする請求項５に記載の室内設備システム。
【請求項７】
前記フレームは前記シャーシの上に取り付けることが可能で、その際に、シャーシの中心からオフセットした位置に取付けられる、ことを特徴とする請求項１に記載の室内設備システム。
【請求項８】
前記フレームを貫通して取付けられるテーブル板と、シャーシを含む、少なくとも１つの作業場を有する、ことを特徴とする請求項１に記載の室内設備システム。
【請求項９】
折り畳みテーブルが、フレームに取付けられたジョイントによって支持され、折り畳みテーブルの外側の端部には折り畳み可能な脚が取付けられている、ことを特徴とする請求項１に記載の室内設備システム。
【請求項１０】
折り畳みテーブルが、取り外し可能であって、フレームから外して別の場所に収納できる、ことを特徴とする請求項９に記載の室内設備システム。
【発明の詳細な説明】
【０００１】
【発明の属する技術分野】
本発明は、多数の異なる機能ユニットと、１つまたは複数の統一的に形成された、静的に支持力のある構造要素とを有するモジュール形式の室内設備システムに関するものである。
【０００２】
【従来の技術】
作業場所の発展と変化は、常に前進している。その場合に、新しい作業環境（たとえばデータ処理と通信の開発によってもたらされる）が生じるだけでなく、すでにある作業場所装置を作業チームの変化する課題に適合させることが考慮される。これを背景として、家具ないし装置全体のメーカーと提供者にとっては、様々な要請を満足させることができ、かつ設置後でも（すなわち後の時点で）問題なく置き換えることのできるシステムを手元に置くことが望ましい。
【０００３】
フレキシブルな室内設備システムの要請は、すでに以前からある。それに応じて多数の提案もされている。しかし、多くの公知のシステム解決は、著しく利用（たとえば大きな事務室の分割、陳列家具形成、商品棚システムなど）に向けられている。
【０００４】
文献ＧＭ−７４２３３７２とＧＭ−７５０９３９２からは、たとえば商品棚システムが知られており、そこでは垂直の支柱が床と天井の間、ないしは部屋の壁に、静的に支持する構造要素として固定され、その後棚板、ボックス要素または容器を組み込むことができる。ドイツ実用新案ＧＭ−７５２０５５７は、たとえば鏡板壁に関するものであって、その鏡板壁はベース家具を自由に使用できるので、鏡板壁を室内に自由に設置することができる。垂直の支持体は、孔あき型材要素として形成されているので、ボックス要素を選択可能な高さで懸架することができる。
【０００５】
２つの公報ＧＭ−９００１４３７．５とＧＭ−９４０８６７６．１からは、メッセ用の商品棚システムが知られている。それらは室内に自由に設置することができ、必要に応じて載置プレート、テーブルまたはフックを配置することを可能にする。その場合にＧＭ９００１４３７．５によれば、脚部を有する多数の垂直の支柱が横支持体によって互いに結合される。棚板は、壁ラックシステムにおけるのと同様に前から固定される。ＧＭ−９４０８６７６．１においては大きな矩形のフレーム構造が設けられており、その中へ垂直の支持パイプを挿入して棚板などを取り付けることができる。ＧＭ−９００１４３７．５の場合と同様に、すべて機能的要素は前へ突出する。さらに、大きな部屋を分割して整える壁要素が多数知られている（たとえばＤＥ−４００４２００Ａ１、ＤＥ−２４４２４７９Ａ１、ＥＰ−０３４５７５４、ＵＳ−４７２７９９４、ＤＥ−２６１５２３５Ａ１、ＵＳ−４６５７１４９）。
【０００６】
【発明が解決しようとする課題】
本発明の課題は、機能的な多様性を特徴とし、静的安定性の高い装置配置の形成を可能にすると同時に最大のモジュール性を有する、上述した種類のモジュール形式の室内設備システムを提供することである。
【０００７】
【課題を解決するための手段】
本発明に基づく解決は、請求項１の特徴によって定められている。
【０００８】
構造要素が閉成された矩形のフレームとして形成されていることによって、高い安定性とトーション強度が保証される。フレームは、たとえば高さ２ｍで幅が７５ｃｍであり、垂直に載置される。機能ユニット（特にテーブル板ないし作業面、陳列ないし載置面ならびにコンテナないし筐体など）が、フレームによって形成された平面を貫通するように、フレーム内へ組み込まれる。これは、特に片側の荷重が大きくなり過ぎることを防止する。垂直位置においてフレーム要素を安定させるために、たとえばフレーム平面に対して直角に延びるシャーシがフレームの下側に取り付けられる。シャーシに、脚部（ないしはスライダ）またはローラを設けることができる。多数のフレームを角部結合を介して互いに角度をもって結合することができるので、ある種の利用（音響的な仕切壁など）のためには、下側のシャーシを設けないこともできる。
【０００９】
好ましい実施形態によれば、フレームは任意の高さに機能的なユニットを固定するための溝またはリブを備えた垂直の縦支柱を有する。また、孔あるいはスリットグリッドを有する縦レールも考えられるので、適当な懸架システム要素を介して固定を行うことができる。
【００１０】
縦支柱が、機能ユニットが任意の高さに取付け可能であるように形成されている場合には、テーブル板を正確に水平に整合させて固定することが難しい場合がある。というのは定規または水準器を用いて作業しなければならないからである。取付けを容易にするために、たとえば固定溝内に、規則的な間隔で小さいノッチまたは突起を有する型材挿入片（たとえばプラスチック細片）を内蔵することができる。溝へ嵌入する固定部材は、切欠き内へわずかに嵌入することができるので、利用者は調節された取付けのための方位を定めることができる。強調すべきことは、型材挿入片のグリッドが、固定部材を任意に選択可能な高さに固定するための自由度を絶対に制限しないことである。従って、要素を２つのグリッド位置の間で固定することが、容易に可能である。従ってグリッドは、必要に応じて利用することのできる、ある種の内蔵の定規を表している。
【００１１】
美的な理由からも実際的な理由からも、フレームにケーブルおよび／または導線用の通路が設けられていると、効果的である。このようにしてフレームと室内設備システム全体を優美に電化し、ないしはデータ通信用に装備することができる。フレームの４つの側すべてにケーブル通路を設けることは、必ずしも必要ではない。場合によっては、１つまたは２つの縦支柱と場合によっては幅狭側にこの種の通路を設けるだけで十分である。
【００１２】
特に好ましい実施形態によれば、フレームの長手通路内に電流レールが内蔵されており、その中に電流供給用に定められた少なくとも２本の導体が配置されている。電流レールには、型材の支持体（フレーム）の縦スリットを介して接近することができる。適当に形成されたプラグによって導体を任意の個所で接触させることができる。導体は安全上の理由から、容易には接触できないように配置されている（たとえば、ドライバーが電流を導く導体に接触可能であってはならない）。
【００１３】
フレーム（特に縦支柱）は、たとえばＳ字状ないしＺ字状の断面を有する。これは軸対称であって、固定溝もケーブル通路も形成する。Ｓ字状型材の対角線の支持体部分ないし結合部分は、安定性を向上させるために二重壁に形成することができる。Ｚ字状ないしＳ字状の型材は、（横断面において）丸または矩形の外側形状を有する。しかし原則的には任意の横断面形状が可能である（三角、六角、七角などの規則的な多角形、そしてまたＬ字状などの非対称の形状）。
【００１４】
フレームは、螺合された、あるいは溶接された側方部分から形成することができる。好ましくは縦支柱は垂直の中空型材として形成されている（たとえば上述したように）。フレームの幅狭側としては、中空型材と堅固に結合された、たとえば横ステイが用いられる。良好な安定性は、横ステイが、その端部側が縦支柱へ嵌入する、ボルトまたは締付け部材ないし開脚部材によって固定されることにより達成される。
【００１５】
シャーシは、様々な方法で形成することができる。たとえばフレーム平面に対して垂直な平面にＨ字状の構造が形成され、その端部に脚、スライダまたはローラを設けることができる。他の方法は、フレームの下側に底プレートを固定することにある。この種のプレートは突出する脚を持たないので、誰かがシャーシに躓く危険が減少される（これは、たとえば公開されている空間にとっては重要である）。
【００１６】
シャーシ上に、好ましくは筐体が組み立てられる。筐体がその重量によって、垂直のフレームの安定性を向上させる。筐体の高さは、必要に応じて決定することができる。さらに、たとえばテーブル板、仕切壁プレート、プレゼンテーション台、モニタホルダおよび／または器具ホルダを設けることができる。このように安定化された構造要素の側方に、他のフレームを取り付けることができる（整合させて、あるいは１８０°異なる角度で）。そのために使用される角部結合装置は、たとえば縦支柱とステイの間の結合個所に使用される。結合部材は、所定の結合角度を定める、既成の一体的な成形部品とすることができる。すなわち家具システムは、利用者が必要に応じて使用することのできる、多数の異なる結合部材を有する。しかしまた、フレームの角部に異なる角度位置で固定することのできる、唯一の形状片を設けることも可能である。これに関連して、良好な安定性を保証するために、角部結合装置が角度グリッド（たとえば１５°グリッド）を有すると、効果的である。
【００１７】
本発明による構造要素に基づいて、様々な室内設備（事務領域、工場領域およびサービス領域における作業スペース）を構築することができる。また、個々の家具（筐体、ボックス、仕切壁）を特別な利用のために選択して使用することも、容易に可能である。
【００１８】
【発明の実施の形態】
以下に述べる詳細な説明と請求項全体から、本発明の他の好ましい実施形態と特徴の組合せが明らかにされる。
原則的に、図面において同じ部分には、同一の参照符号が設けられている。
【００１９】
図１は、静的に支持力のある構造要素として、本発明に基づく室内設備システムの基礎となるフレーム１の例を示している。フレームは、たとえば２つの垂直な縦支柱２．１、２．２と、それを水平に結合するステイ３．１、３．２からなる。下方の角部（縦支柱２．１、２．２のほぼ延長状）に、たとえば２つのスライダ４．１、４．２が取り付けられている。
【００２０】
縦支柱２．１、２．２は、たとえばまっすぐな中空の型材部材として形成されている。ステイ３．１、３．２は、好ましくは中実の平坦な（そして同様にまっすぐな）ロッドとして形成されており、そのロッドの両端部には、ロッドの長手軸から側方へ段階状に変位された終端部が設けられている。ステイ３．１、３．２を縦支柱２．１、２．２と堅固に結合するために、たとえば縦支柱２．１、２．２の開放された端部へ嵌入する締付けボルト５．１から５．４が設けられている。締付けボルト５．１から５．４は、たとえば縦支柱２．１、２．２の軸方向に延びるねじ孔内へ螺合される。
【００２１】
従って縦支柱２．１、２．２とステイ３．１、３．２は、矩形の面ないし平面を形成する。この平面に関してフレームの型材は、横断面寸法が大きい方の方向がフレーム平面に対して垂直になるように、向けられている。
【００２２】
本例においては、ステイ３．１、３．２は、縦支柱２．１、２．２とは異なる（すなわちより平坦な）断面を有する。好ましくは−必ずしも必要ではないが−ステイ３．１、３．２は、ケーブルや導線を収容するために中空である。そのためには縦支柱２．１、２．２も開放した（そして場合によっては閉鎖ないしは覆うことができる）長手溝または通路を有するようにされる。
【００２３】
本発明に基づく室内設備システムは、好ましくは同一ないし異なる寸法の１つまたは２つのこの種のフレーム要素に基づいている。たとえば、商品棚、仕切壁、立ち仕事スペースなどのために大きいフレーム要素（高さ１．８から２．２ｍ、幅０．７から１．０ｍ）を、そして個人用の移動家具、プレゼンテーションユニットなどの可動の機能的ユニットのためには小さいフレーム要素（高さがたとえば１．２から１．６ｍ、幅０．４から０．６ｍ）を用意することが考えられる。所定の大きさと同一の構造の１つまたは２つのフレームに制限することは、機能的に異なるユニットを視覚的に統一するだけでなく、室内設備の計画全体と構造の簡略化をもたらす。
【００２４】
垂直の縦支柱２．１、２．２には、好ましくは機能的に固有に形成された手段（たとえば長手溝または長手リブ、開口部、孔の列）が設けられており、その手段は種々の機能ユニットを選択可能な高さに固定するために用いられる。もちろん、縦支柱を（横断面が）閉鎖された４稜パイプによって、またはＴ−ないしダブルＴ−型材によって形成することも可能である。特に、美的な理由からは、固定部材が型材の１つの側または２つの側だけに作用する（そしてその型材を３つの側によって包囲する必要がない）ことが望ましい。
【００２５】
図２は、大きい垂直のフレーム７をベースにした簡単な作業スペースの例を示している。このフレームは、シャーシ８（このシャーシはフレーム７によって形成される平面に対して垂直に延びる）によって安定化されている。シャーシ８は、たとえば脚９．１、９．２を備えた張出し部を有する。脚９．１、９．２の代わりに、固定可能なローラを設けることもできるので、作業スペース全体が可動となる。
【００２６】
フレーム７内の適当な高さに（それぞれ作業スペースの種類に応じて−たとえば床上７０から８０ｃｍ）作業面１１（小テーブル）が組み込まれている。作業面はフレームによって形成される垂直の平面を貫通して突出している。作業面１１を安定させるために、対角線ないしは三角形状の補強部材１２を設けることができる。（テーブル板を固定する好ましい方法については、図１２に関連して後述する。）
【００２７】
フレーム７の横ステイ１３には、たとえばライト１４が取り付けられている。電気設備は、フレーム７内に埋め込むことも可能である。ライト１４を固定するために、原則として、この家具システムのための規格化された要素を使用することができ、それについては図６ないし１２を用いて後述する。すなわち、種々の利用（テーブル板、棚板、ライトなどの固定）に適した結合片を備えた締付け要素が設けられる。
【００２８】
図３は、（図２におけるのと同じ尺度の）可動の機能ユニットを示している。フレーム１５は、たとえば１５０ｃｍの高さしかなく、ローラ１７．１、１７．２を備えたシャーシ１６を使用することができる。筐体１８は、たとえば多数のボックスからモジュール状に組み立てられており、フレーム１５の高さ全体をほぼ満たしている。この筐体は、フレーム１５によって形成される平面を貫通して突出するように、位置決めされている。この筐体は、場合によってはフレーム１５の垂直の縦支柱と結合することができる。横ステイ１９は、移動家具を移動ないしは置換える場合に、グリップとして用いることができる。
【００２９】
図２と３に示すユニットは、２つの（大きさのみが異なる）フレーム７ないし１５が同様に形成されていることにより、統一的な外観を有する。
【００３０】
図３に示されるユニットは、個人用の書類棚として、あるいはコンピュータ移動ワゴンとして形成することができる。後者の場合には、下方の部分にたとえばコンピュータとプリントユニットが配置され、一番上にモニタが配置される。モニタは、たとえば傾斜可能なプレートないしは移動ワゴンのホルダ上に設置することができる。
【００３１】
図４の（ａ）、（ｂ）を用いて、シャーシの可能な実施形態を詳細に説明する。このシャーシは、たとえば大体において２つの側支持体（図４の（ａ）、（ｂ）においては一方のみが図示され、かつ参照符号２１が設けられている）と横支持体２２からなる。シャーシ（側支持体２１と横支持体２２）は、大体においてＨ字形状であって、その場合に横支持体２２は本例においては中央ではなく、側支持体２１の一方の端部方向へずらして挿入されている。
【００３２】
側支持体２１の端部には、ローラ２４．１、２４．２がリンクによって取り付けられている（移動可能な家具または事務椅子の場合に知られているように）。ローラ２４．１、２４．２には、必要な場合にはブレーキないし固定装置を設けることができる。縦支柱、たとえば２０は、適当に形成された頑丈な結合部分、たとえば２３を介して側支持体２１と堅固に結合されている。
【００３３】
閉鎖されたフレームが、上述した種類のシャーシ上に全体として取り付けられる。
【００３４】
図１７には、底板１０５が図示されており、この底板はＨ字状のシャーシの代わりに脚部として使用することができる。この底板は、大体において２つの側支持体１０６．１、１０６．２とカバー１０７から形成されている。側支持体１０６．１、１０６．２は、フレーム１０４（の特にその下方の角部）に固定されている。カバーは側支持体１０６．１、１０６．２の間の区間を充填している。底板を有する多数のフレームを１本の線上に並べると、つながったプレートの印象が生じる。
【００３５】
組み立てられたすべてのフレームが、安定化のために上述した種類のシャーシを持つことは必要ではない（そして一部はスペース上の理由から不可能でさえある）。従って室内設備システムは、隣接し合うフレームのたとえば角部または縦支柱を互いに結合することを可能にする、角部結合装置も有する。従ってシャーシを有するフレームに、シャーシのない第２のフレームを取り付けることができる（その場合に２つの垂直の縦支柱を直接並べて配置することができる）。また、多数のフレームを角部結合装置を介して互いに角度をもって組み立てることができるので、相互の安定化が得られ、そもそもシャーシが不用になる。フレームの１つの角部のみが結合されている場合には、縦支柱に所望の機能要素を自由に固定することができる。
【００３６】
図５の（ａ）、（ｂ）には、角部結合装置２５の簡単な実施形態が図示されている。この角部結合装置は、原理的には（Ｔ字状の）プレートであって、そのプレートをボルト５．１によって選択可能な角度位置に嵌め込むことができる。角部結合装置２５の、たとえば係止部分に、隣接する第２のフレームの上方の角部に回転しないように係止するための、３つの孔が形成されている。結合装置２５によって形成される、（ボルト５．１用の）孔を有する舌片２５．２が、第１のフレームへの結合部を形成する。
【００３７】
角部結合装置にさらに、グリッド２７を設けることができ、このグリッドは２つのフレームをたとえば３０°グリッドで結合することを可能にする。グリッド２７は、角部結合装置２５の対応する溝またはリブと協働するリブまたは溝を有する固定プレート２６を、ステイ３．１上へ螺合することによって、実現することができる。
【００３８】
図９の（ａ）、（ｂ）は−上述した角度可変の結合の代わりとして−固定的に設定された角度を有する２つの結合片５７、５８を示している。従って結合片５７によればまっすぐな（すなわち１８０°の）結合のみが、そして結合片５８によれば１５０°の角部結合のみが形成される。互いに反対側になる端部側には、それぞれ狭くなった入口を有する切欠き５９、６０が形成されている。家具システムは、たとえば異なる角度を有する固定の結合片の全セット（たとえば１８０°、１６５°、１５０°、１３５°、１２０°）を使用することができる。
【００３９】
図１０と図１１の（ａ）、（ｂ）は、プレート状の結合片５７がそれぞれフレームの角部にどのように取り付けられるかを示している。結合ボルト５．１（図１も参照）が、切欠き６０に挿通される。結合ボルト５．１上へ取り付けられた固定カプセル６５の下方の端部に、減少された横断面を有する部分６５．１が設けられている。この部分６５．１が凹部６０内へ正確に嵌まる。従って切欠き６０の入口が狭くなっていることによって、結合片５７が結合ボルト５．１の軸に対して垂直に抜け落ちることが防止される。しかし狭い部分は、結合ボルト５．１のねじ部分の直径よりもわずかに大きい。それによって固定カプセルは、結合片を挿入するために完全に螺合を外す必要はない。結合片５７の厚みだけ緩めて、ないしはねじを回し戻して、狭い部分が部分６５．１の下方を通過するようにし、その後小さくされた部分を切欠き６０内へ降下させることができれば、十分である。狭くなっていることによって、結合ボルト５．１ないし５．２が緩んだ場合でも、角部結合が外れることはない。
【００４０】
結合片５７の長手側に、他の切欠き６１から６４が形成されており、これらの切欠きも同様に、ないしは代替として、角部結合を固定するために使用することができる。特に好ましい固定方法は、結合片５７が所定位置へ移動された場合に、可動の弾性的な係止部材が側方の切欠き６１から６４内へ嵌入することにある。
【００４１】
これについて、図１１の（ａ）、（ｂ）を用いて簡単に説明する。フレームの下方端部の角部結合が図示されている。結合片６６（これはたとえば図９の（ａ）におけるように形成されている）がフレームの下方端部の、特にステイ３．１（図１も参照）とシャーシの側支持体２１（図４の（ａ）、（ｂ）も参照）との間に挿入される。取付けを容易にするために、側支持体２１にはフラットな凹部６７が形成されている。これは、フラットな結合片６６がわずかな遊びで取り付けられる大きさである。結合片６６の幅とそれに伴って凹部６７の幅は、ステイ３．２の幅よりも小さい。その結果、ステイ３．２とそれに伴ってフレーム全体は結合片６６の上にではなく、側支持体２１の凹部のない上側に載置される。それによって、フレームがすでにシャーシ上に取り付けられている場合でも、角部結合をわずかな手間で形成することができるという利点が得られる。結合片６６は、側支持体２１とステイ３．２の間の凹部６７によって形成されるスリット内へ簡単に挿入することができる。結合片６６をスリット内へ固定するために、側支持体２１内には、内蔵された弾性的な係止部材７５が設けられており、その係止部材が結合片６６の側方の切欠き（図９の（ａ）；６４ないし６５を参照）へ嵌り込むことができる。
【００４２】
特に図１１の（ｂ）から明らかなように、凹部６７には開口部が形成されており、その開口部を通して係止部材７５が上方へ突出する。その係止部材は、摺動可能なカプセル７８上に取り付けられており、そのカプセルはばね７６によって上方へ押圧される。係止部材７５は、スリットへ挿入された場合には結合片６６によって下方へ押圧され、側方の切欠き（たとえば図９の（ａ）の参照符号６３を参照）がそこへ来るとすぐに、上方へ嵌り込むように形成されている。従って結合片６６は、凹部６７内に固定されている。
【００４３】
必要な場合に固定を外すことができるようにするために、凹部６７の隣にアンロックボタン７７のための他の開口部が設けられている。このアンロックボタンは、たとえばドライバーを用いて下方へ押圧することができ、その場合に同時に係止部材７５を有するカプセル７８が下降される。その結果、結合片６６が自由にされる。
【００４４】
図６は、縦支柱の型材の好ましい実施形態を示している。型材部材２８の外側寸法（外側壁２９．３から２９．６）は、ほぼ矩形である。構造は、ＳないしＺ字形状である。２つの平行な壁２９．３、２９．４は、対角線に延びる壁２９．１、２９．２によって結合されている。本例においては、壁２９．１、２９．２間には、（横断面が）閉成された中空室３０が形成される。
【００４５】
壁２９．１と２９．３ないしは２９．２と２９．４の間には、Ｖ字状の開放された通路３１、３２が形成される。通路のそれぞれの開口部は、型材部材２８の幅狭側の約半分を占める。必要な場合には、通路３１、３２内へケーブル３５または導線を挿入することができる（たとえば電気設備またはデータ通信のため）。
【００４６】
導線は、該当する通路内に固定的に組み込むことができる。すなわち、たとえば低い位置に配置された導体を有するプラスチック支持体を通路の内側に取り付けることができる。すなわち、電流供給に必要なすべての導体を通路の同じ側壁へ埋め込むことができる。このようにして、２つの導体にうっかりと接触することがないことが保証される。
【００４７】
通路３１、３２の細片状の開口部（壁２９．５、２９．６）は、たとえば（プラスチック、金属薄板などからなる）カバー３３、３４で美的に好感を与える方法で閉鎖することができる。
【００４８】
図８の（ａ）から（ｃ）には、特に好ましい種類のカバー５３が図示されている。カバーの断面はＶ字状である。両方の厚く形成された長手端縁５４、５５は、カバー５３を挿入するために互いに対して押圧することができる。カバー５３の互いにＶ字を形成する２つの側面の一方に、規則的な間隔で開口部５６が形成されている。この開口部を通して型材部材２８の長手通路３１からケーブル３５を導出することができる。
【００４９】
次に、再び図６を参照する。機能的な要素（テーブル、プレゼンテーション用置き場、ホルダなど）を固定するために、締付け部材３６を設けることができ、その締付け部材は通路３２の開口部へ嵌入して、任意に選択可能な高さで螺合固定することができる。この種の締付け部材３６は、たとえば２つの部分３６．１、３６．２から形成することができる。
【００５０】
部分３６．１のジョウ４１が通路３２とそこの溝４０内へ嵌入する。部分３６．２はアングル形状ないしＬ字形状であるので、壁２９．４、２９．６に外側から添接する。部分３６．２内内に埋め込まれたボルト４２によって、部分３６．１が締付け固定される。
【００５１】
部分３６．２の、壁２９．４に添接する脚には、ナット３８用の切欠き３７が形成されている。切欠き３７内に回転しないように保持されているナット３８内に、たとえばねじボルト３９を螺合することができる。（このねじボルト３９に、その後固定すべき要素を螺合することができる。）
【００５２】
図６に示される型材部材は、きわめて安定しており、かつ荷重をかけることができる。これは、機械的／静的および美的な利点を一体化するものである。通路開口部の端縁に、場合によっては細かい歯を形成し、それによって固定された締付け部材３６の荷重耐性をより高くすることができる。
【００５３】
切欠き３７、ナット３８およびねじボルト３９の代わりに、締付け部材３６に外側へ突出する２本のボルトを設けて、その上へ結合片を取り付けて、螺合固定することも可能である。この種の構造は、特に作業ライトを固定するのに適している。もちろん、さらに多くの他の有用な作業器具や補助手段をこの簡単な方法でフレームに固定することができる。このことは、モジュール形式で同時に多様な室内設備システムを提供するという、目標設定と一致する。
【００５４】
壁２９．４はフレームの内側に、壁２９．３はフレームの外側に、そして２つの壁２９．５と２９．６はフレームの端面（すなわち前側と後ろ側）に配置されている。
【００５５】
図１２は、図６に示す型材部材にテーブル板を固定するための、可能な構造を示している。固定装置はアンカープレート６８、締付け部材６９および支持体７０を有する。アンカープレート６８の内側６８．１が、型材部材のフレーム側に位置する壁（図６内の壁２９．３または２９．４を参照）に添接する。締付け部材６９にはリブ７１が設けられており、そのリブが型材部材の通路３１（図６を参照）内へ嵌入することができる。締付け部材６９は、ボルト７２．１、７２．２によってアンカープレート６８に固定される。アンカープレート６８と締付け部材６９は、型材部材に大面積で添接し、それによって著しく支持力のある固定を保証する。
【００５６】
アンカープレート６８の外側６８．２には、プレート形状の接続部分７３が形成されている。その接続部分は、フレームによって形成される平面内に配置されている。接続部分７３に、支持体７０がボルト７４．１、７４．２によって取り付けられる。支持体７０は、接続部分７３と直角を形成する。すなわち支持体は、フレームによって形成される平面から垂直に突出する。
【００５７】
支持体７０は、図１２に示す実施形態においてはフレームと堅固に結合されている。その上側は、その支持体上に取り付けられるテーブル板が水平になった場合に、水平に延びる。もちろん、同じ原理に基づいて、テーブル板を斜めに、すなわち傾斜して組み込むことも可能である。そのためには、それに応じて形成された支持体を使用するだけで十分である。
【００５８】
図１２に示される構造の利点は、それが−上述した部材を使用して−鏡対称に取り付けることもできることにある。従って「左」と「右」のテーブル支持体を用意する必要がない。
【００５９】
次に、シャーシの上にコンテナを支持するための、好ましい実施形態について説明する。
【００６０】
図１３の（ａ）、（ｂ）、（ｃ）は支持部材７９を横断面、正面および上から示している。この支持部材は、たとえばスチール薄板の片から屈曲して形成されており、背壁８１、継目板８０並びに２つの側面８２、８３を有する。背壁８１には開口部８６が形成されており、それによって支持部材７９を側支持体２１の一方の側に螺合することができる。継目板８０は背壁８１の上端部に配置されており、背壁８１に対して直角に水平方向後ろへ突出している。支持部材７９を側支持体２１に取り付ける場合に、継目板８０は側支持体２１の上側上に載置される（図１４の（ａ）、（ｂ）を参照）。側面８２、８３は背壁８１と共に上から見てＣ字形状を有する。側面は９０°の角度で前方へ屈曲されており、垂直の面を形成している。両側面は、開口部８４ないし８５を有する。
【００６１】
図１４からは、支持部材７９がどのように取り付けられるかが、明らかにされている。Ｃ字状の型材に包囲される自由空間内には、接続ピン８７を挿入することができる。接続ピンは舌片８８を有し、その舌片が２つの開口部８４、８５の一方の中に懸架される。接続ピン８７上にはシャーシのフレームパイプ８９が取り付けられる。ボルト９０によってフレームパイプ８９は接続ピン８７に固定される。開口部８４ないし８５内へ嵌入した舌片８によって、コンテナがシャーシから持ち上がって外れることが防止される。
【００６２】
従って支持部材は、コンテナとシャーシ（脚部）間の簡単であるが、静的に支持力のある結合をもたらす。この支持部材は、金属またはプラスチックから鋳造形成することができる。その他、この種の結合は他の方法でも達成できることは明らかである。コンテナをたとえば直接脚部と螺合することも可能である。
【００６３】
図１５は、モジュール形式のコンテナの特に好ましい実施形態を示している。多数の同じコンテナを積み重ねることができる。一番下のコンテナが、上述した方法でシャーシ上に固定される。
【００６４】
各コンテナは、２つのフレームパイプ８９、９１とカバー９２とからなる。フレームパイプ８９、９１はそれぞれ２つの垂直の部分と、その上方の端部の水平の部分とを有する。従ってフレームパイプ８９ないし９１は、Ｃ字状の湾曲部材として形成されている。カバー９２は、２つの対称の側壁９３、９４、上側９５および背壁９６から組み立てられている。好ましくはカバーの全部の部分が差し込みによって互いに結合される。
【００６５】
カバー９２に、ないしは側壁９３、９４の屈曲された上方の端縁に、開口部９７．１から９７．４が形成されている。その下に位置するフレームパイプ８９、９１の対応する個所にも、開口部が形成されている。これらの開口部へ、支持部材７９の場合と同様に、接続ピンを挿入することができる。換言すると、フレームパイプが支持部材と結合されるのと同様に、種々のコンテナモジュールのフレームパイプも結合することができる。
【００６６】
フレームパイプ８９、９１の内側には、たとえばレールが固定されており、そのレール内で引出し９８が移動することができる。さらに、多段のコンテナのすべての引出しが同時に開放されることを阻止する機構を設けることが推奨される。（この種の機構は、それ自体公知である。）この機構がコンテナと同様にモジュール形式で構成されていると、効果的である。換言すると、各モジュールは上述した機構の一部を有し、その場合にコンテナモジュールを積み重ねると、上述した機構の種々の部分が互いに結合される（たとえば差し込み形式で）。
【００６７】
図１６から明らかなように、本発明に基づくフレームは、折畳みテーブル構造にも適している。垂直のフレーム９９内に、リンク装置１０３を取り付けることができる。リンク装置は、好ましくはフレーム平面内に配置される。リンク装置１０３は、テーブル板１００の一方の端部を支持している。テーブル板１００の他方の端部には引出し可能な脚１０１が取り付けられている。テーブル板１００が図１６に示される水平位置から、垂直位置へ移動された場合に（示唆されているように）、テーブル板は固定装置１０２によって固定することができる。
【００６８】
テーブル板の回転可能な軸承は、必ずしもその端部である必要はない。リンクをテーブル板の長手側の中央の領域に取り付けることも可能である。その場合には垂直の位置においては、テーブル板の一部がリンクを越えて下方へ突出する。それによって均衡がもたらされ、それが揺動テーブルの取扱いを容易にする。
【００６９】
図１６に示す実施形態の変形においては、フレーム９９に対して２つのテーブルを鏡対称に設けることも可能である。フレームへの固定がフレームの平面内で行われる場合には、もちろんテーブルを上へ折り畳むことは不可能になる。それに対してフレーム平面の外部で固定される場合には、干渉し合わない２つのリンク装置を設けることができる。
【００７０】
テーブル板をわずかな手動操作でリンク装置から完全に分離できるようにすると、効果的である。その場合にはテーブルは、場所をとらないように別の場所に積み重ねることができる。
【００７１】
図７は、本発明に基づく室内設備システムを用いて機能的なユニットを実現する幾つかの方法を示している。
【００７２】
音響壁（遮音のための）を挿入した２つの垂直フレームで、仕切壁４３を形成することができる。必要な安定性は、フレームが互いに角度を有することによって（角部結合を使用）、保証することができる。
【００７３】
可動のユニット４４は、たとえばフレームの下方部分内のキャビネットと、作業面（書見台の高さの）から構成することができる。
【００７４】
個人用の筐体４５、４７、４９を、事務用装置の内部に多数設けることができる（たとえばチームの各構成員用に）。
【００７５】
多数のフレームを１本の線上に並べて配置して、それによって比較的大きなパーティション４６を形成することができる。フレームの幾つかには、それぞれ必要に応じて筐体を設けることができる（安定化、積載空間）。
【００７６】
コンピュータ作業スペース４８、５１は、たとえば２つまたは３つの構造要素から形成することができる。コンピュータ作業スペース４８は、作業面、その下に配置された筐体（たとえば図２に示すような）並びに側方に取り付けられた仕切壁から構成される。コンピュータ作業スペース５１は、原理的に二人の人にそれぞれ専用のテーブルを提供する。作業面を有する２つのフレームは、仕切壁によって安定して結合され、同時に視覚的に分離されている。
【００７７】
コンピュータ作業スペース５１においては、たとえばフレームの上方の横ステイの下方に組み込まれたブラインド面が図示されている。この種のブラインドは、たとえばコンピュータモニタへの煩わしい光の入射を防止する。同様な方法で、作業スペースの個々の照明用のリフレクタを設けることも可能である。リフレクタは、たとえばフレームに取り付けられた光源によって照らされ、コンピュータ作業スペースの拡散照明をもたらす。
【００７８】
ブラインドないしはリフレクタをフレームの任意の個所に（たとえば横支柱に）取り付けることができると、効果的である。照明体を内蔵させるための好ましい方法は、この照明体を上方のステイの上方に取り付けることにある。好ましくは照明体は、ステイと同じ長さであって、フレームの上方の角部に螺合固定される。照明体はその光を、たとえば上方へのみ放射する（間接照明）。この種の照明の質を空間高さに関係なく保証するために、照明体の上方にリフレクタ（たとえばプラスチックスクリーン）を取り付けることができる。このリフレクタは、細いワイヤ構造によって同様にフレームの上方の角部に支持される。
【００７９】
種々の筐体は、それらが必要ない場合には、そのために特別に設けられた置き場所５２（「ドッキングステーション」）へ移動させることができる。
【００８０】
そして、小型の丸テーブルと新聞スタンド（プレゼンテーション台）を有するカフェバー５０も示されている。
【００８１】
図７は、多様な装置要素を組み立てることができることを明らかにしている。装置全体はきわめてフレキシブルである。というのは、それは固定した組込みを前提としておらず、モジュラー形式で組み立てられるからである。種々の要素を後の時点で他の配置および他の組合せで設置することができる。構造的および光学的なユニットは、矩形のフレームによって形成される。本例においてはシステムは、仕切壁、パーティション、コンピュータ作業スペースなどのための大きいフレームと、可動の筐体要素のための小さいフレームに限定されている。
【００８２】
原理的には、垂直の縦支柱に何らかの機能ユニット（モニタホルダ、ライトなど）を取り付けることができる。
【００８３】
本発明に基づく室内設備システムの使用可能性は、もちろん事務領域に限定されるものではない。多数の利用可能性が、特に自動化された、あるいは個人向けのサービス領域、半公共または公共の領域、あるいはまた製造領域で得られる。たとえば、仕切壁、プレゼンテーション面、載置面、ビデオ表示機器などを用いて形成することのできる、通信ターミナル（簡単な電話ボックスから国際ネットワークアクセス用のコンピュータターミナルまで）またはディスカッションゾーン、談話ゾーン、待合せゾーンなどが挙げられる。
【００８４】
コンセプトとしては、構造要素としての垂直のフレームが家具システムのベースを形成する。面積と体積を使用することによって、様々な機能固有の要請を満たすことができる（机、書見台、傾斜可能な面、壁要素、屏風、音響要素、投影面、掲示壁、事務用品，本，書類用の容器体積、器具用の技術体積）。それぞれ必要に応じて、作業スペースを直接または間接的に照明するための照明要素並びに作業機器に給電するためのケーブルおよびライトをフレーム内またはフレームに取り付けることができる。所定のフレームの安定性は、適当な角部結合部材またはステイによって保証される。付加的な安定化は、張出し、ボックス要素の適当な配置（フレームの下部に）によって、または多数のフレームを角度をつけて結合することによって得ることができる。フレーム内に懸架された水平の面は、載置面と作業面として用いられる。その位置決めは、たとえば型材レール内の所定のグリッド化を介して、あるいは必要な場合には型材内で案内される無段階の電気的または手動の高さ調節を介して行われる。場合によっては、面を傾斜可能にすることもできる。目隠しおよび遮音要素などの垂直の面が、フレーム内に張り込まれる。
【００８５】
本発明に基づく室内設備システムは、すでにある家具を補うものとしてすぐに使用することができる。また、本発明に基づくフレームに基づかない、たとえばコンピュータ家具を組み合わせることができることも、述べておく。
【００８６】
なお、図に示されている実施例は、第１にコンセプトを説明するために用いられるものである。フレーム要素、シャーシないし張出し、縦支柱の型材形状並びに角部結合は、他の方法でも実施することができる。特にフレームは、必ずしもまっすぐな縦支柱と横ステイから組み立てられる必要はない。それに対して構造要素の安定性、モジュラー性および視覚的並びに機能的な統一性は重要である。
【００８７】
本発明を特徴付ける要素は、垂直のフレームである。このフレームは種々の機能的なユニットを機械的な視点でも美的な視点でも一体化している。原理的には、各フレームはそれ自体で使用することができる。図７に示すように、同じフレームを多数使用する場合には、種々の機能ユニットが機能的にも視覚的にも互いに関連し合う室内設備が得られる。
【００８８】
この室内設備システムは、常に２つまたはそれ以上の異なる機能的なユニットを有する（作業面、筐体、ラックなど）。これらは異なる方法で家具として組み合わせることができるが、その場合に機能的なユニットに関しての差にもかかわらず、見る者には常に同一の全体印象がもたらされる。さらに、全体印象を大幅に変えることなく、−ほぼブロック状に−他のユニットを付加することができる。
【００８９】
本発明の重要な特徴は、機能的なユニットが閉成されたフレーム内に常に、それらが１つまたは複数の平坦な垂直のフレームによって定められる平面を貫通して突出するように、取り付けられることにある。この配置の利点は、フレームに荷重が大体において中央でかかることにある。すなわち各ユニットの重心は、フレームの近傍または特にその内部に来る。機能的なユニットを本発明に従って組み立てることは、著しい美的な効果ももたらすことを、言い忘れてはならない。
【００９０】
家具システムの中心的かつ特徴的な構造要素は、−すでに説明したように−静的に支持力のある閉成された垂直のフレームによって形成される。そのフレームは大体において２つの垂直の縦支柱と、その縦支柱の上端と下端を堅固に結合する２つの横ステイとからなる。この要素的な構造の利点は、たとえば場所をとらないことである。さらに、この構造においては、ある種の対称性が得られ、それが多数の同じフレームを効果的に結合することを可能にしている。
【００９１】
本発明に基づく構造要素によって、様々な平面図形が実現される。原則的には、隣接するフレーム間に固定的に設定された角度はない（個別的な場合に、あるる程度細かいグリッド化が好ましい場合でも）。
【図面の簡単な説明】
【図１】本発明に基づくフレームを概略的に示す図である。
【図２】作業面を有する家具を概略的に示す図である。
【図３】可動のコンテナ家具を概略的に示す図である。
【図４】（ａ）  移動可能なシャーシを側面図で概略的に示す図である。
（ｂ）  移動可能なシャーシを上面図で概略的に示す図である。
【図５】（ａ）  角部結合を側面図で概略に示す図である。
（ｂ）  角部結合を上面図で概略に示す図である。
【図６】フレーム断面と固定クリップを概略的に示す図である。
【図７】本発明に基づく装置システムのベース上に多数の作業スペースを有する室内設備を例示する図である。
【図８】（ａ）  ケーブル通路のＶ字状のカバーの上面図である。
（ｂ）  ケーブル通路のＶ字状のカバーを側面図である。
（ｃ）  フレームの垂直の縦支柱に取付けられたケーブル通路のＶ字状のカバーを示す図である。
【図９】（ａ）  固定的に設定された角度（１８０°）を有する結合片を示す図である。
（ｂ）  固定的に設定された角度（１５０°）を有する結合片を示す図である。
【図１０】フレームの上方の角部の角部結合を概略的に示す図である。
【図１１】（ａ）  フレームの下方の角部の角部結合の一例の概略的な断面図である。
（ｂ）  フレームの下方の角部の角部結合の他の一例の概略的な断面図である。
【図１２】テーブル板をフレームの垂直の縦支柱に固定するための装置を概略的に示す斜視図である。
【図１３】（ａ）  コンテナをシャーシに取付ける支持部材の横断面図である。
（ｂ）  コンテナをシャーシに取付ける支持部材の正面図である。
（ｃ）  コンテナをシャーシに取付ける支持部材の上面図である。
【図１４】（ａ）  シャーシ上に固定された図１３の支持部材を示す側面図である。
（ｂ）  シャーシ上に固定された図１３の支持部材を示す正面図である。
【図１５】モジュール形式のコンテナの概略的な斜視図である。
【図１６】フレーム内に統合されている折畳みテーブルを概略的に示す図である。
【図１７】底板を概略的に示す図である。
【図１】
0004242689.tif 000002
【図２】
0004242689.tif 000003
【図３】
0004242689.tif 000004
【図４】
0004242689.tif 000005
【図５】
0004242689.tif 000006
【図６】
0004242689.tif 000007
【図７】
0004242689.tif 000008
【図８】
0004242689.tif 000009
【図９】
0004242689.tif 000010
【図１０】
0004242689.tif 000011
【図１１】
0004242689.tif 000012
【図１２】
0004242689.tif 000013
【図１３】
0004242689.tif 000014
【図１４】
0004242689.tif 000015
【図１５】
0004242689.tif 000016
【図１６】
0004242689.tif 000017
【図１７】
0004242689.tif 000018